【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
ジョブ処理装置であって、
ハードウェアテンキーと、
ディスプレイと、
前記ディスプレイ上にジョブの設定に関するユーザ操作を受け付ける複数の表示コンポーネントを少なくとも含む操作画面を表示し、前記ハードウェアテンキーに対する第１の操作を受け付けたことに従って、操作を受け付ける候補となる表示コンポーネントを切り替えるとともに、前記切り替え先の表示コンポーネントが前記候補となっていることを可視化するために、前記切り替え先の表示コンポーネントを修飾表示するように前記操作画面の表示状態を更新する表示制御手段と、
前記表示制御手段で前記候補となる表示コンポーネントを切り替える場合に、当該切り替え先の表示コンポーネントを説明するガイダンス音声を出力する出力制御手段と、
前記ジョブの設定に関するユーザ操作を受け付ける前記複数の表示コンポーネントの何れかに該当する表示コンポーネントが前記操作を受け付ける候補となっておらず、且つ、前記ジョブの実行を開始するための条件を満たしている場合に、前記ハードウェアテンキーに対する第２の操作を受け付けたことに従って、前記ジョブを実行する実行手段と、
を有することを特徴とするジョブ処理装置。
【請求項２】
前記ジョブの設定に関するユーザ操作を受け付ける表示コンポーネントには、少なくとも前記ジョブの実行に供される第１ジョブ設定を変更する第１ジョブ設定を変更する画面を表示するための表示コンポーネントが含まれており、前記表示制御手段は、第１ジョブ設定を変更する画面を表示するための表示コンポーネントが前記操作を受け付ける候補となっている状態で、前記ハードウェアテンキーに対する前記第２の操作を受け付けたことに従って、前記ディスプレイに前記第１ジョブ設定を変更する画面を表示するよう制御することを特徴とする請求項１に記載のジョブ処理装置。
【請求項３】
前記ディスプレイはタッチパネルディスプレイであり、
前記複数の表示コンポーネントは、タッチ操作を受け付けることが可能な表示コンポーネントであって、
前記操作を受け付ける候補となる表示コンポーネントには、前記複数の表示コンポーネントと、前記タッチ操作によりユーザ操作を受け付けることができない第２の種類の表示コンポーネントが含まれており、
前記実行手段は、前記第２の種類の表示コンポーネントが前記候補となっており、且つ、前記ジョブの実行を開始するための条件を満たしている場合に、前記第２の操作を受け付けたことに従って、前記ジョブを実行することを特徴とする請求項１または２に記載のジョブ処理装置。
【請求項４】
前記切り替え先の表示コンポーネントが前記第２の種類の表示コンポ―ネットである場合、前記出力制御手段は前記ジョブの開始に関するガイダンス音声を出力する請求項３に記載のジョブ処理装置。
【請求項５】
前記候補の切り替え順序を記憶する記憶手段を更に有し、
前記表示制御手段は、前記第１の操作を受け付けた場合、前記切り替え順序に基づき正順で切り替え先の表示コンポーネントを決定し、前記ハードウェアテンキーに対する第３の操作を受け付けた場合、前記切り替え順序に基づき逆順で切り替え先の表示コンポーネントを決定し、
前記ハードウェアテンキーは、所定の配列でハードキーが配置されたハードウェアテンキーであり、
前記第１の操作は、第１種類のハードキーの押下であり、前記第２の操作は、第２種類のハードキーの押下であり、前記第３の操作は第３種類のハードキーの押下であることを特徴とする請求項１乃至４のいずれか１項に記載のジョブ処理装置。
【請求項６】
前記第２の種類のハードキーは、当該ハードキーを押下する際に指が接触する面に突起部が設けられており、前記第１の種類のハードキー及び第３の種類のハードキーは、前記第２の種類のハードキーに隣接するよう配置され、且つ、前記第２の種類のハードキーが有する突起部を有さないよう構成されていることを特徴とする請求項５に記載のジョブ処理装置。
【請求項７】
画像を印刷する印刷手段を有し、
前記ジョブ処理装置が実行するジョブは、前記印刷手段を用いてシートに画像を印刷する印刷ジョブを少なくとも含むことを特徴とする請求項１乃至６のいずれか１項に記載のジョブ処理装置。
【請求項８】
原稿を読み取る読取手段を有し、
前記ジョブ処理装置が実行するジョブは、前記読取手段で原稿を読み取って得られた画像に基づくデータを送信する送信ジョブを少なくとも含むことを特徴とする請求項１乃至７のいずれか１項に記載のジョブ処理装置。
【請求項９】
ハードウェアテンキーと、ディスプレイと、を有するジョブ処理装置の制御方法であって、
前記ディスプレイ上にジョブの設定に関するユーザ操作を受け付ける複数の表示コンポーネントを少なくとも含む操作画面を表示する第１表示制御工程と、
前記ハードウェアテンキーに対する第１の操作を受け付けたことに従って、操作を受け付ける候補となる表示コンポーネントを切り替えるとともに、前記切り替え先の表示コンポーネントが前記候補となっていることを可視化するために、前記切り替え先の表示コンポーネントを修飾表示するように前記操作画面の表示状態を更新する第２表示制御工程と、
前記第２表示制御工程で前記候補となる表示コンポーネントを切り替える場合に、当該切り替え先の表示コンポーネントを説明するガイダンス音声を出力する出力制御工程と、
前記ジョブの設定に関するユーザ操作を受け付ける前記複数の表示コンポーネントの何れかに該当する表示コンポーネントが前記操作を受け付ける候補となっておらず、且つ、前記ジョブの実行を開始するための条件を満たしている場合に、前記ハードウェアテンキーに対する第２の操作を受け付けたことに従って、前記ジョブの実行を開始するジョブ制御工程と、
を有することを特徴とする制御方法。
【請求項１０】
請求項９に記載のジョブ処理装置の制御方法をコンピュータに実行させるためのプログラム。
【手続補正２】
【補正対象書類名】明細書
【補正対象項目名】発明の名称
【補正方法】変更
【補正の内容】
【発明の名称】ジョブ処理装置、ジョブ処理装置の制御方法、プログラム
【手続補正３】
【補正対象書類名】明細書
【補正対象項目名】０００７
【補正方法】変更
【補正の内容】
【０００７】
本発明の１つの側面としてのジョブ処理装置は、ハードウェアテンキーと、ディスプレイと前記ディスプレイ上にジョブの設定に関するユーザ操作を受け付ける複数の表示コンポーネントを少なくとも含む操作画面を表示し、前記ハードウェアテンキーに対する第１の操作を受け付けたことに従って、操作を受け付ける候補となる表示コンポーネントを切り替えるとともに、前記切り替え先の表示コンポーネントが前記候補となっていることを可視化するために、前記切り替え先の表示コンポーネントを修飾表示するように前記操作画面の表示状態を更新する表示制御手段と、前記表示制御手段で前記候補となる表示コンポーネントを切り替える場合に、当該切り替え先の表示コンポーネントを説明するガイダンス音声を出力する出力制御手段と、前記ジョブの設定に関するユーザ操作を受け付ける前記複数の表示コンポーネントの何れかに該当する表示コンポーネントが前記操作を受け付ける候補となっておらず、且つ、前記ジョブの実行を開始するための条件を満たしている場合に、前記ハードウェアテンキーに対する第２の操作を受け付けたことに従って、前記ジョブを実行する実行手段と、有することを特徴とする。